【手続補正書】
【提出日】平成16年3月26日(2004.3.26)
【手続補正１】
【補正対象書類名】明細書
【補正対象項目名】特許請求の範囲
【補正方法】変更
【補正の内容】
【特許請求の範囲】
【請求項１】
媒体に記憶されている複数の画像を読み出す読み出し手段と、前記読み出し手段が読み出した前記複数の画像の、モニタ上への表示を制御する表示制御手段とを有する画像処理装置であって、
前記複数の画像中に複数枚で１組となる画像が存在する場合に、前記表示制御手段は、該複数枚の画像の組を他の画像と区別できるように制御することを特徴とする画像処理装置。
【請求項２】
前記表示制御手段は、同一の組の画像をまとめて指示するような表示を行うことを特徴とする請求項１に記載の画像処理装置。
【請求項３】
さらに、前記１組毎に複数枚の画像を一括して選択する選択手段を有することを特徴とする請求項１乃至２のいずれかに記載の画像処理装置。
【請求項４】
さらに、前記選択手段によって組が選択されるのに応じて、選択された組の画像の種類に対応した処理の開始を制御する制御手段を有することを特徴とする請求項３に記載の画像処理装置。
【請求項５】
前記制御手段は、前記選択手段により選択された組の画像の種類に応じた処理を開始する際に、操作者に処理の実行を開始するかどうかを選択させることを特徴とする請求項３に記載の画像処理装置。
【請求項６】
前記選択手段による選択は、前記複数枚で１組であることを明示する表示部分を指示することによって行われることを特徴とする請求項３乃至５のいずれかに記載の画像処理装置。
【請求項７】
前記選択手段により選択された組の画像が、パノラマ画像を作成するための撮影モードで撮影した画像である場合は、前記制御手段は、これらの画像からパノラマ画像を作成する処理を行うパノラマ画像処理手段を更に有することを特徴とする請求項４乃至６のいずれかに記載の画像処理装置。
【請求項８】
前記選択手段により選択された組の画像が、連写撮影モードで撮影した画像である場合は、前記制御手段は、これらの連写画像を並べて表示し、うち選択した画像を転送、または削除する連写画像処理工程を更に有することを特徴とする請求項４乃至７のいずれかに記載の画像処理装置。
【請求項９】
前記制御手段は、連写画像を一枚ずつ表示する機能を有することを特徴とする請求項８に記載の画像処理装置。
【請求項１０】
前記制御手段は、複数の連写画像から動画像データを作成する機能を有することを特徴とする請求項８乃至９のいずれかに記載の画像処理装置。
【請求項１１】
前記制御手段は、前記選択手段の選択に応じて、前記複数枚の画像を一括して転送することを特徴とする請求項３に記載の画像処理装置。
【請求項１２】
該複数枚の画像の組を、他の画像と区別できるような制御とは、同一の組を構成する各画像の表示部付近に、前記同一の組を構成する各画像のすべてに連続するマークを表示するように制御することであることを特徴とする請求項１乃至１１のいずれかに記載の画像処理装置。
【請求項１３】
該複数枚の画像の組を、他の画像と区別できるような制御とは、該複数枚の画像の組と、この組を構成しない画像との境界の大きさを、組を構成する各画像間の境界の大きさと異ならせるように表示するように制御することであることを特徴とする請求項１乃至１１のいずれかに記載の画像処理装置。
【請求項１４】
該複数枚の画像の組を、他の画像と区別できるような制御とは、組を構成する複数枚の画像全体を、組ごとに囲むような表示を行うように制御することであることを特徴とする請求項１乃至１１のいずれかに記載の画像処理装置。
【請求項１５】
媒体に記憶されている複数の画像を読み出す読み出し工程と、前記読み出し手段が読み出した前記複数の画像の、モニタ上への表示を制御する表示制御工程とを有する画像処理方法であって、
前記複数の画像中に複数枚で１組となる画像が存在する場合に、前記表示制御工程は、該複数枚の画像の組を他の画像と区別できるように制御することを特徴とする画像処理方法。
【請求項１６】
前記表示制御工程は、同一の組の画像をまとめて指示するような表示を行うことを特徴とする請求項１５に記載の画像処理方法。
【請求項１７】
さらに、前記１組毎に複数枚の画像を一括して選択する選択工程を有することを特徴とする請求項１５乃至１６のいずれかに記載の画像処理方法。
【請求項１８】
さらに、前記選択工程によって組が選択されるのに応じて、選択された組の画像の種類に対応した処理の開始を制御する制御工程を有することを特徴とする請求項１７に記載の画像処理方法。
【請求項１９】
前記制御工程は、前記選択工程によって組が選択されるのに応じて、操作者に、その組の画像の種類に対応した処理を開始するかどうかを選択させることを特徴とする請求項１７に記載の画像処理方法。
【請求項２０】
前記選択工程による選択は、前記複数枚で１組であることを明示する表示部分を指示することによって行われることを特徴とする請求項１７乃至１９のいずれかに記載の画像処理方法。
【請求項２１】
前記選択工程により選択された組の画像が、パノラマ画像を作成するための撮影モードで撮影した画像である場合は、前記制御工程は、これらの画像からパノラマ画像を作成する処理を行うパノラマ画像処理工程を更に有することを特徴とする請求項１８乃至２０のいずれかに記載の画像処理方法。
【請求項２２】
前記選択工程により選択された組の画像が、連写撮影モードで撮影した画像である場合は、前記制御工程は、これらの連写画像を並べて表示し、うち選択した画像を転送、または削除する連写画像処理工程を更に有することを特徴とする請求項１８乃至２１のいずれかに記載の画像処理方法。
【請求項２３】
前記制御工程は、連写画像を一枚ずつ表示する機能を有することを特徴とする請求項２２に記載の画像処理方法。
【請求項２４】
前記制御工程は、複数の連写画像から動画像データを作成する機能を有することを特徴とする請求項２２乃至２３のいずれかに記載の画像処理方法。
【請求項２５】
前記制御工程は、前記選択工程の選択に応じて、前記複数枚の画像を一括して転送することを特徴とする請求項１７に記載の画像処理方法。
【請求項２６】
該複数枚の画像の組を、他の画像と区別できるような制御とは、同一の組を構成する各画像の表示部付近に、前記同一の組を構成する各画像のすべてに連続するマークを表示するように制御することであることを特徴とする請求項１５乃至２５のいずれかに記載の画像処理方法。
【請求項２７】
該複数枚の画像の組を、他の画像と区別できるような制御とは、該複数枚の画像の組と、この組を構成しない画像との境界の大きさを、組を構成する各画像間の境界の大きさと異ならせるように表示するように制御することであることを特徴とする請求項１５乃至２５のいずれかに記載の画像処理方法。
【請求項２８】
該複数枚の画像の組を、他の画像と区別できるような制御とは、組を構成する複数枚の画像全体を、組ごとに囲むような表示を行うように制御することであることを特徴とする請求項１５乃至２４のいずれかに記載の画像処理方法。
【請求項２９】
コンピュータが読み込み実行することで、請求項１５乃至２８のいずれかの画像処理方法を機能させるプログラムを記憶することを特徴とする記憶媒体。
【手続補正２】
【補正対象書類名】明細書
【補正対象項目名】００１２
【補正方法】変更
【補正の内容】
【００１２】
そこで、本発明においては、スティッチ画像や連写画像といった、複数枚で１組となるような画像を、他の画像と容易に区別して認識することが出来るような画像処理装置、画像処理方法、及び記憶媒体を提供することを目的とする。


【手続補正３】
【補正対象書類名】明細書
【補正対象項目名】００１４
【補正方法】変更
【補正の内容】
【００１４】
【課題を解決するための手段】
以上の課題に鑑み、本発明では、カメラ等の記憶手段内に存在する、このような組となる画像を表示する際に、記憶されている複数の画像を読み出し、読み出した複数の画像を表示制御する際に、複数の画像中に、複数枚で１組となる画像が存在する場合には、複数枚の画像の組を他の画像と区別できるように表示制御することを特徴とする。さらに１組毎に複数枚の画像を一括して選択することようにする。さらにこの一括選択に応じて、複数枚の画像の種類に対応した処理の開始を制御することを特徴とする。さらに、この一組であることを表す表示部分を選択した場合に、１組毎に複数枚の画像を一括して選択することを特徴とする。さらに複数枚で１組の画像の種類に応じた処理を開始する際に、操作者に処理の実行を開始するかどうかを選択させることを特徴とする。以上のようにすることにより、ユーザは容易に、複数枚で１組の画像群を確認することが出来る。また、続けて作業を行うことが必要な画像群を容易に選択でき、それらの画像の種類に応じた処理を簡単に行うことができる。